(57)【特許請求の範囲】
【請求項１】
座及び背凭れを具備する椅子であって、その背凭れが、
左右に伸長しつつ中間部が後方に膨出するように湾曲した上フレーム部、上フレーム部よりも下方にあって左右に伸長しつつ中間部が後方に膨出するように湾曲した下フレーム部、上フレーム部の左端部と下フレーム部の左端部とを連結する左側フレーム部、及び、上フレーム部の右端部と下フレーム部の右端部とを連結する右側フレーム部が、一周連続したループ形状を形成する背凭れフレームと、
左右に離間して対をなし、座よりも上方において上下に伸長しており、一方の上端部が前記下フレーム部における左端部よりも内側方かつ後方に位置する箇所に接合し、他方の上端部が下フレーム部における右端部よりも内側方かつ後方に位置する箇所に接合して前記背凭れフレームを支持する複数本の背支桿と
を備えており、
上フレーム部、下フレーム部、左側フレーム部及び右側フレーム部により包囲された背凭れフレームの内周が前後方向に開通している、または、当該背凭れフレームに取り付けた背板と背凭れフレームとの間に空隙が介在している椅子。
【請求項２】
前記上フレーム部の中間部が前記下フレーム部の中間部よりも後方に位置しており、
前記下フレーム部の高さ位置が着座した者の腰部の高さに対応している請求項１記載の椅子。
【請求項３】
前記背凭れフレームの断面が略円筒状または略円柱状をなしている請求項１または２記載の椅子。
【請求項４】
前記座が平面視略円形状の外周をなしている請求項１、２または３記載の椅子。
【請求項５】
前記背支桿は、その延伸方向に対して直交する第一の方向に沿った幅寸法が、前記延伸方向及び前記第一の方向に対して直交する第二の方向に沿った厚み寸法よりも大きくなっている請求項１、２、３または４記載の椅子。
【請求項６】
前記座及び前記背凭れが前後に離間した前脚及び後脚によって支持されており、
前記背支桿と前記後脚とが一体となって連続している請求項１、２、３、４または５記載の椅子。
【請求項７】
前記背凭れフレームにグリップを装着している請求項１、２、３、４、５または６記載の椅子。
【発明の詳細な説明】
【技術分野】
【０００１】
本発明は、例えば店舗、官公庁、図書館、金融機関、病院等の受付カウンタや待合室、オフィスの会議室、学校その他の場において好適に使用できる椅子に関する。
【背景技術】
【０００２】
下記特許文献１には、背凭れを構成する樹脂製の背板の左右の側縁の一部を内側方に向けて切り欠き、その切り欠いた部位に脚を構成する金属パイプ材を通した態様の椅子が開示されている。この椅子では、背板の切り欠き部位の内に露出したパイプ材を持ち手（または、把手、取手）として利用することができ、これを把持して椅子を移動させたり向きを変えたりすることが可能となっている。
【０００３】
とは言え、手で掴むのに適した持ち手の場所が、特定の狭い範囲に限定されている点は否めない。お年寄りや身体にハンディキャップを有する者、とりわけ車椅子を使用している者等にとっては、必ずしもその持ち手のある部位に容易に手が届くとは限らない。
【先行技術文献】
【特許文献】
【０００４】
【特許文献１】特開２００３−１１１６３７号公報
【発明の概要】
【発明が解決しようとする課題】
【０００５】
本発明は、手で掴むのに適した持ち手となる部位が広範囲に亘っている椅子を実現しようとするものである。
【課題を解決するための手段】
【０００６】
本発明では、座及び背凭れを具備する椅子であって、その背凭れが、左右に伸長しつつ中間部が後方に膨出するように湾曲した上フレーム部、上フレーム部よりも下方にあって左右に伸長しつつ中間部が後方に膨出するように湾曲した下フレーム部、上フレーム部の左端部と下フレーム部の左端部とを連結する左側フレーム部、及び、上フレーム部の右端部と下フレーム部の右端部とを連結する右側フレーム部が、一周連続したループ形状を形成する背凭れフレームと、左右に離間して対をなし、座よりも上方において上下に伸長しており、一方の上端部が前記下フレーム部における左端部よりも内側方かつ後方に位置する箇所に接合し、他方の上端部が下フレーム部における右端部よりも内側方かつ後方に位置する箇所に接合して前記背凭れフレームを支持する複数本の背支桿とを備えており、上フレーム部、下フレーム部、左側フレーム部及び右側フレーム部により包囲された背凭れフレームの内周が前後方向に開通している、または、当該背凭れフレームに取り付けた背板と背凭れフレームとの間に空隙が介在している椅子を構成した。なお、背凭れフレームにグリップを装着しても構わない。
【０００７】
このようなものであれば、上フレーム部、下フレーム部（背支桿よりも外側方にある部位や、対をなす背支桿の間にある部位を含む）、左側フレーム部及び右側フレーム部、並びに背支桿の何れかを持ち手とし、その持ち手を掴んで椅子を移動させたり椅子の向きを変えたりすることが容易になる。
【０００８】
前記上フレーム部の中間部が前記下フレーム部の中間部よりも後方に位置しており、前記下フレーム部の高さ位置が着座した者の腰部の高さに対応しているならば、着座者が上半身を後方に倒し、上半身を背凭れフレームに深く凭せ掛けることが可能となる。
【０００９】
前記背凭れフレームの断面が略円筒状または略円柱状をなしていれば、持ち手として把持しやすい、手触りのよいものとなる。
【００１０】
前記座が平面視略円形状の外周をなしているならば、着座しようとするとき、または着座していた者が席を立とうとするときの、椅子に対する身体の方向が一方向に限定されず、使い勝手が向上する。いわば、当該椅子に対して出入りがしやすくなる。着座している状態で体の向きを変えることも容易となる。
【００１１】
前記背支桿は、その延伸方向に対して直交する第一の方向に沿った幅寸法が、前記延伸方向及び前記第一の方向に対して直交する第二の方向に沿った厚み寸法よりも大きくなっていることが好ましい。さすれば、背支桿の存在が目立つようになり、視力が衰えている老齢者等にとっても視認しやすくなる。
【００１２】
前記座及び前記背凭れが前後に離間した前脚及び後脚によって支持されており、前記背支桿と前記後脚とが一体となって連続しているならば、当該椅子の部品点数及び組立工数を削減できる。家具としての格調、美観を高めることにもつながる。
【発明の効果】
【００１３】
本発明によれば、手で掴むのに適した持ち手となる部位が広範囲に亘っている椅子を実現することができる。
【図面の簡単な説明】
【００１４】
【図１】本発明の一実施形態の椅子を正面側から見た斜視図。
【図２】同実施形態の椅子を背面及び底面側から見た斜視図。
【図３】同実施形態の椅子の正面図。
【図４】同実施形態の椅子の背面図。
【図５】同実施形態の椅子の平面図。
【図６】同実施形態の椅子の、前脚及び後脚を切断した状態の底面図。
【図７】同実施形態の椅子の側断面図。
【図８】背凭れフレームの一部にグリップを装着した椅子の変形例を示す正面図。
【図９】同変形例の椅子の側断面図。
【図１０】背凭れフレームの内周に背板を取り付ける場合における、背板の取り付け構造の一例を示す要部分解斜視図。
【図１１】背凭れフレームの内周に背板を取り付けた椅子の変形例を示す正面図。
【図１２】同変形例の椅子の側断面図。
【図１３】背凭れフレームの内周に背板を取り付けた椅子の変形例を示す正面図。
【図１４】同変形例の椅子の側断面図。
【図１５】背凭れフレームの内周に背板を取り付けた椅子の変形例を示す正面図。
【図１６】同変形例の椅子の側断面図。
【図１７】背凭れフレームの内周に背板を取り付けた椅子の変形例を示す正面図。
【図１８】同変形例の椅子の側断面図。
【図１９】脚構造体の形状の異なる椅子の変形例を示す正面図。
【図２０】同変形例の椅子の背面図。
【図２１】背凭れフレームの形状の異なる椅子の変形例を示す、正面側から見た斜視図。
【図２２】同変形例の椅子の背面及び底面側から見た斜視図。
【図２３】座の前端部の下面側に凹部を設けた変形例を示す側断面図。
【図２４】座の前端部の下面側に凸部を設けた変形例を示す側断面図。
【発明を実施するための形態】
【００１５】
本発明の一実施形態を、図面を参照して説明する。図１ないし図７に示す本実施形態の椅子は、店舗、官公庁、図書館、金融機関、病院等の受付カウンタの前に配置される、いわゆるカウンタチェアである。この椅子は、着座者の臀部を載せ置く座１と、着座者の上半身を支える背凭れ２と、床面に接地して座１及び背凭れ２を支持する脚構造体３とを主たる要素とする。
【００１６】
座１は、インナーシェルまたは座板体にウレタンスポンジ等のクッション体を装着し、それらを張地で被覆してなる。座１は、平面視略円形状（真円状であったり、楕円状であったりすることがある）の外周をなす。座１は、側面視前傾も後傾もせず、前後方向に沿って略水平姿勢をとる。これは、着座者が席を立つときに臀部を上げて立ち上がりやすいようにするためである。尤も、座１は、正面視略方形状の外形を有しながら、若干ではあるが左右の側縁部が中央部よりも上方に持ち上がるように反っている。
【００１７】
背凭れ２は、座１よりも上方において上下に伸長した背支桿２１と、背支桿２１によって支持される背凭れフレーム２２とを備えている。
【００１８】
背支桿２１は、例えば金属製のパイプ材または棒材を用いてなる。背支桿２１は複数本、本実施形態では左右に離間して一対存在している。両背支桿２１は、背面視上方に向かうにつれて互いの離間距離が徐々に小さくなるようなハの字型をなしている。また、各背支桿２１は、側面視やや前傾している。
【００１９】
背凭れフレーム２２は、着座者の背や腰と接触してこれを直接支える部材である。背凭れフレーム２２もまた、例えば金属製のパイプ材または棒材を用い、そのパイプ材または棒材を曲げ加工してなる。本実施形態において、背凭れフレーム２２は、左右に伸長しつつ中間部２３１が後方に膨出するように湾曲した上フレーム部２３と、上フレーム部２３よりも下方にあって左右に伸長しつつ中間部２４１が後方に膨出するように湾曲した下フレーム部２４と、上フレーム部２３の左端部２３２と下フレーム部２４の左端部２４２とを連結する左側フレーム部２５と、上フレーム部２３の右端部２３２と下フレーム部２４の右端部２４２とを連結する右側フレーム部２６とを有しており、これらが一周連続したループ形状を形成する。
【００２０】
そして、上フレーム部２３、下フレーム部２４、左側フレーム部２５及び右側フレーム部２６により包囲された内周が、前後方向に開通、換言すれば貫通している。この背凭れフレーム２２は、全体として、左右端が最も前方に突出し、そこから中央に向かうにつれて徐々に後方に変位するような湾曲形状となっている。図５及び図６に示しているように、平面視上フレーム部２３の湾曲の曲率と、下フレーム部２４の湾曲の曲率とは略合致している。加えて、平面視下フレーム部２４の湾曲の曲率と、座１の後縁（さらには、前縁）の曲率とが略合致している。
【００２１】
左方の背支桿２１の上端部は、下フレーム部２４における左端部２４２よりも内側方かつ後方に位置する箇所に接合する。また、右方の背支桿２１の上端部は、下フレーム部２４における右端部２４２よりも内側方かつ後方に位置する箇所に接合する。左方の背支桿２１の接合箇所と、右方の背支桿２１の接合箇所とが左右に離間していることは言うまでもない。背支桿２１と下フレーム部２４との固着は、溶接により行ってもよく、ボルトまたはねじを使用した締結により行ってもよい。
【００２２】
上フレーム部２３及び下フレーム部２４はともに、正面視左右方向に沿って略水平に延伸している。但し、上フレーム部２３は、その左右の側端部２３２が中間部２３１に比して下方に下がるように若干ながら反っている。下フレーム部２４は、上フレーム部２３から下方に離間し、かつ座１から上方に離間している。下フレーム部２４の高さ位置は、ちょうど着座者の腰部の高さに対応している。さらに、側面視上フレーム部２３の中間部２３１が、下フレーム部２４の中間部２４１よりも後方に位置している。これにより、着座者が上半身を後方に倒し、上半身を背凭れフレーム２２に深く凭せ掛けることが可能となる。このとき、下フレーム部２４が、着座者の腰部を支える様相となる。
【００２３】
左側フレーム部２５、右側フレーム部２６はそれぞれ、側面視前方に膨出する略円弧状（真円弧であったり、楕円弧であったりすることがある）をなして、上フレーム部２３及び下フレーム部２４の側端部２３２、２４２の双方に連続している。左側フレーム部２５、右側フレーム部２６、上フレーム部２３の側端部２３２及び下フレーム部２４の側端部２４２は、左右の背支桿２１の上端部よりも前方に迫り出している。
【００２４】
図７に示しているように、背凭れフレーム２２を構成するパイプ材または棒材は、上フレーム部２３、下フレーム部２４、左側フレーム部２５及び右側フレーム部２６の何れを問わず、その断面形状が略円筒状または略円柱状（図示例では、円筒状）をなす。その外径は、手指で把持できる程度の太さである。当該椅子を動かす際には、これら上フレーム部２３、下フレーム部２４における左右の背支桿２１よりも外側方にある部位、下フレーム部２４における左右の背支桿２１の間にある部位、左側フレーム部２５及び右側フレーム部２６の任意の箇所を、持ち手として使用することができる。
【００２５】
並びに、背支桿２１（及び、後脚３１）を構成するパイプ材または棒材は、その延伸方向に対して直交する第一の方向に沿った幅寸法が、前記延伸方向及び前記第一の方向に対して直交する第二の方向に沿った厚み寸法よりも大きくなっている（第一の方向、第二の方向の詳細については、後述する）。その幅寸法及び厚み寸法は、手指で把持できる程度の大きさである。背面視下フレーム部２４と座１との間に位置し、左右に離間している各背支桿２１もまた、当該椅子を動かす際の持ち手として使用することが可能である。
【００２６】
脚構造体３は、複数本の後脚３１と、複数本の前脚３２と、後脚３１と前脚３２とを連結する連結部３３とを備えている。
【００２７】
後脚３１は、例えば金属製のパイプ材または棒材を用いてなる。左右に離間して一対存在する。本実施形態において、左方の後脚３１は左方の背支桿２１と一体となって連続し、右方の後脚３１は右方の背支桿２１と一体となって連続している。後脚３１と背支桿２１とは、等断面形状のまま略一直線状に上下に伸長している。即ち、両後脚３１は、背面視下方に向かうにつれて互いの離間距離が徐々に大きくなるようなハの字型をなしている。また、各後脚３１は、側面視やや前傾している。
【００２８】
図６に示しているように、後脚３１の断面形状、ひいては背支桿２１の断面形状は、略楕円筒状または略楕円柱状（図示例では、楕円筒状）をなす。その断面形状の長径方向が前記第一の方向であり、短径方向が前記第二の方向である。左右の背支桿２１及び後脚３１の各々について、その第二の方向は、前後方向に対しても左右方向に対しても非平行な（前後方向に対しても左右方向に対しても交差する）斜め方向、より具体的には底面視椅子の中央に向かうような斜め前方を向いている。
【００２９】
前脚３２もまた、例えば金属製のパイプ材または棒材を用いてなる。前脚３２は、左右に離間して一対存在し、等断面形状のまま略一直線状に上下に伸長している。両前脚３２は、正面視後脚３１ほどではないが、下方に向かうにつれて互いの離間距離が少しずつ大きくなるように内側方に傾いている。また、各前脚３２は、側面視やや後傾している。
【００３０】
前脚３２を構成するパイプ材は、その延伸方向に対して直交する第一の方向に沿った幅寸法が、前記延伸方向及び前記第一の方向に対して直交する第二の方向に沿った厚み寸法よりも大きくなっている。その幅寸法及び厚み寸法は、手指で把持できる程度の大きさである。図６に示しているように、本実施形態における前脚３２の断面形状は、後脚３１及び背支桿２１のそれと同等である。左右の前脚３２の各々について、その第二の方向即ち短径方向は、前後方向に対しても左右方向に対しても非平行な（前後方向に対しても左右方向に対しても交差する）斜め方向、より具体的には底面視椅子の中央に向かうような斜め後方を向いている。
【００３１】
連結部３３には、左方の後脚３１と左方の前脚３２とを連結するものと、右方の後脚３１と右方の前脚３２とを連結するものとが存在する。各連結部３３は、例えば金属製のパイプ材または棒材を用い、そのパイプ材または棒材を曲げ加工してなる。各連結部３３は、後端部が後脚３１の上端部（背支桿２１の下端部でもある）に接合している後部３３１と、前端部が後脚３１の上端部（背支桿２１の下端部でもある）に接合している前部３３２と、これら後部３３１と前部３３２とを繋ぐ中間部３３３とを有している。
【００３２】
左右の連結部３３の後部３３１は、底面視互いに相寄るように椅子の中央に向かって斜め前方に延伸している。左右の連結部３３の前部３３２は、底面視互いに相寄るように椅子の中央に向かって斜め後方に延伸している。そして、左右の連結部３３の中間部３３３は、互いに接した状態で前後方向に延伸し、その後端に後部３３１が連なり、その前端に前部３３２が連なっている。連結部３３と後脚３１との固着、及び連結部３３と前脚３２との固着は、溶接により行ってもよく、ボルトまたはねじを使用した締結により行ってもよい。左方の連結部３３の中間部３３３と右方の連結部３３の中間部３３３との固着についても、同様である。
【００３３】
連結部３３は、前脚３２と後脚３１との連結だけでなく、座１を下方から支持する座受としての役割をも担う。即ち、座１は、連結部３３上に載置して固定される。
【００３４】
本実施形態では、座１及び背凭れ２を具備する椅子であって、その背凭れ２が、左右に伸長しつつ中間部２３１が後方に膨出するように湾曲した上フレーム部２３、上フレーム部２３よりも下方にあって左右に伸長しつつ中間部２４１が後方に膨出するように湾曲した下フレーム部２４、上フレーム部２３の左端部２３２と下フレーム部２４の左端部２４２とを連結する左側フレーム部２５、及び、上フレーム部２３の右端部２３２と下フレーム部２４の右端部２４２とを連結する右側フレーム部２６が、一周連続したループ形状を形成する背凭れフレーム２２と、左右に離間して対をなし、座１よりも上方において上下に伸長しており、一方の上端部が前記下フレーム部２４における左端部２４２よりも内側方かつ後方に位置する箇所に接合し、他方の上端部が下フレーム部２４における右端部２４２よりも内側方かつ後方に位置する箇所に接合して前記背凭れフレーム２２を支持する複数本の背支桿２１とを備えている椅子を構成した。
【００３５】
本実施形態によれば、上フレーム部２３、下フレーム部２４、左側フレーム部２５及び右側フレーム部２６、並びに背支桿２１の何れかを持ち手とし、その持ち手を掴んで椅子を移動させたり椅子の向きを変えたりすることが容易になる。
【００３６】
前記上フレーム部２３の中間部２３１が前記下フレーム部２４の中間部２４１よりも後方に位置しており、前記下フレーム部２４の高さ位置が着座１した者の腰部の高さに対応しているため、着座者が上半身を後方に倒し、上半身を背凭れフレーム２２に深く凭せ掛けることが可能となる。さらに、その状態で、前方に張り出している左側フレーム部２５、右側フレーム部２６、または上フレーム部２３の左右の側端部２３２が、肘掛けとしても機能し得る。
【００３７】
前記背凭れフレーム２２の断面が略円筒状または略円柱状をなしているため、持ち手として把持しやすい、手触りのよいものとなる。左側フレーム部２５及び右側フレーム部２６位が弧状をなしており、尖った屈折部分なしに上フレーム部２３及び下フレーム部２４に連続していることもあり、着座者の被服等が背凭れフレーム２２に引っ掛かるようなこともない。
【００３８】
前記座１が平面視略円形状の外周をなしているため、着座１しようとするとき、または着座１していた者が席を立とうとするときの、椅子に対する身体の方向が一方向に限定されず、使い勝手が向上する。いわば、当該椅子に対して出入りがしやすくなる。着座１している状態で体の向きを変えることも容易となる。
【００３９】
前記背支桿２１、前記後脚３１及び前記前脚３２の各々について、その延伸方向に対して直交する第一の方向に沿った幅寸法が、前記延伸方向及び前記第一の方向に対して直交する第二の方向に沿った厚み寸法よりも大きくなっているため、背支桿２１や後脚３１、前脚３２の存在が目立つようになり、視力が衰えている老齢者等にとっても視認しやすくなる。
【００４０】
前記座１及び前記背凭れ２が前後に離間した前脚３２及び後脚３１によって支持されており、前記背支桿２１と前記後脚３１とが一体となって連続しているため、当該椅子の部品点数及び組立工数を削減できる。家具としての格調、美観も高められる。
【００４１】
なお、本発明は以上に詳述した実施形態に限られるものではない。以降では、本発明に係る椅子の変形例を列挙する。
【００４２】
図８及び図９に示すように、背凭れフレーム２２部の適宜の箇所に、グリップ２７を装着してもよい。図８及び図９では、上フレーム部２３の中間部２３１及び下フレーム部２４の中間部２４１のそれぞれの外面に、これを被覆するような筒状のグリップ２７を装着している。グリップ２７は、軟質樹脂等の比較的軟らかい、または弾性変形可能な材料を用いて作製してもよいし、硬質樹脂等の弾性変形し難い材料を用いて作製してもよい。特に、後者の場合には、手に持ったときに手が滑りにくいよう、グリップ２７の表面を粗くしたり、表面に凹凸形状を設けたり、摩擦係数の高い材料を採用したりすることが好ましい。
【００４３】
上記実施形態では、上フレーム部２３、下フレーム部２４、左側フレーム部２５及び右側フレーム部２６により包囲された背凭れフレーム２２の内周の全部が前後方向に開通していた。これに対し、図１０ないし図１８に示すように、背凭れフレーム２２の内周に着座者の身体に接触し得る背板２９を取り付け、この背板２９により背凭れフレーム２２の内周の一部を閉塞してもよい。
【００４４】
背凭れフレーム２２に対する背板２９の取り付け方法は、任意である。図１０は、背板２９の取り付け方法の一例である。図１０に示す例では、背凭れフレーム２２の内周から内方に背板支持部２８を突出させて設けている。図１０における背板支持部２８は、上フレーム部２３の下縁から下方に突出し、また下フレーム部２４の上縁から上方に突出している。これらの背板支持部２８は、正面視または背面視背支桿２１の上端部の直上にあるように位置づけてある。背板支持部２８には、背板２９を固着するために使用するボルトまたはねじ２９６を挿通する挿通孔２８１を穿ち設けておく。
【００４５】
背板２９は、背板体２９１にウレタンスポンジ等のクッション材２９４を装着し、それらを張地２９５で被覆してなる。因みに、図１０では、背板体２９１の前面側だけでなく後面側にもクッション材２９４を配している。背板体２９１は、背凭れフレーム２２の上フレーム部２３や下フレーム部２４と同程度の曲率で湾曲している板状体である。背板体２９１は、前方または後方（図示例では、前方）から背板支持部２８に当接する。背板体２９１における、背板支持部２８に当接する後面または前面（図示例では、前面）の箇所には、背板支持部２８の全部または一部が収まるような凹部２９２を成形し、その凹部２９２の内にナット穴２９３を形成しておく。
【００４６】
しかして、背板体２９１の凹部２９２に背板支持部２８が収まるように背板体２９１を背凭れフレーム２２の内周に配置し、ボルトまたはねじ２９６を挿通孔２８１に挿通してナット穴２９３に螺合させ緊締することにより、背板体２９１を背凭れフレーム２２に固定する。さらに、背板体２９１及びクッション材２９４に前後から張地２９５を被せてこれらを露出しないよう隠蔽し、前後の張地２９５を縫い合わせたり溶着したりして脱離不能とすることで、背板２９の取り付けが完了する。
【００４７】
背板２９の形状も、種々のものが考えられる。図１１ないし図１２に示す例では、背板２９の左右両側縁が上フレーム部２３の左右の端部２３２及び下フレーム部２４の左右の端部２４２よりも内側方にあり、上フレーム部２３の左右端部２３２、下フレーム部２４の左右端部２４２、左側フレーム部２５及び右側フレーム部２６と背板２９との間に空隙２０が介在している。故に、上フレーム部２３の左右端部２３２、下フレーム部２４の左右端部２４２、左側フレーム部２５または右側フレーム部２６を持ち手として把持することが妨げられない。加えて、背板２９の上縁部における、ちょうど左右に離間して対をなす背板支持部２８及び凹部２９２の間にある部位を切り欠いている。この切り欠き部位２９７は、手指を差し入れることができる程度の上下幅を有し、前後方向に開通している。この切り欠き部位２９７の存在により、上フレーム部２３の中間部２３１を持ち手として把持することが許容される。
【００４８】
図１３及び図１４に示す例では、背板２９の上縁部だけでなく、下縁部にも同様の切り欠き部位２９７を設けている。この切り欠き部位２９７の存在により、下フレーム部２４の中間部２４１を持ち手として把持することも許容される。
【００４９】
図１５及び図１６に示す例では、背板２９全体の上下寸法を、上フレーム部２３と下フレーム部２４との離間距離よりも小さく設定している。これにより、背板２９の上縁と上フレーム部２３との間に、背板２９の幅寸法の全体に亘る空隙２０が形成され、上フレーム部２３のあらゆる箇所を持ち手として把持することが許容される。
【００５０】
翻って、図１７及び図１８に示す例では、背板２９の上縁部における切り欠き部位２９７を除いて、背板２９が背凭れフレーム２２の内周を閉塞している。この場合、持ち手として利用できる部位は、上フレーム部２３の中間部２３１及び背支桿２１に限定される。
【００５１】
上記実施形態では、座１及び背凭れ２を支持する脚構造体３が前後に離間した後脚３１及び前脚３２を備えていたが、図１９及び図２０に示すように、後脚３１を備えない態様の脚構造体３とすることも考えられる。図１９及び図２０に示す例では、左方の背支桿２１の下端部は左方の連結部３３の後部３３１の後端部に連接し、右方の背支桿２１の下端部は右方の連結部３３の後部３３１の後端部に連接する。連結部３３は、背支桿２１の下端部と前脚３２の上端部とを連結する。この連結部３３が座受を兼ねている点は、上記実施形態と同じである。
【００５２】
左右の前脚３２の下端部からは、後方に屈曲して脚ベース３４が伸長している。さらに、左右の脚ベース３４の後端部同士を、左右に伸長するベース連結部３５を介して連結している。図１９及び図２０に示す例では、前脚３２の下端部、脚ベース３４及びベース連結部３５が床面に接地して、座１及び背凭れ２を支持する構造となる。また、図１９及び図２０に示す例では、左右の背支桿２１及び連結部３３、前脚３２、脚ベース３４及びベース連結部３５が一体となって連続している。つまり、左右の背支桿２１及び連結部３３、前脚３２、脚ベース３４及びベース連結部３５を、一本のパイプ材または棒材を曲げ加工して作製することが可能である。この場合の背支桿２１等の断面形状は、略円筒状または略円柱状をなす。
【００５３】
上記実施形態では、パイプ材または棒材を曲げ加工して背凭れフレーム２２を作製していたが、図２１及び図２２に示すように、湾曲した板材の中央部分をくり抜いたような形状の背凭れフレーム２２としても構わない。要するに、背凭れフレーム２２の各部２３、２４、２５、２６の断面形状は、略円筒状または略円柱状には限定されない。
【００５４】
図２３または図２４に示すように、座１の前端部の下面側に、手指を掛けることのできる凹部１１または凸部１２を設けても構わない。
【００５５】
その他各部の具体的構成は、本発明の趣旨を逸脱しない範囲で種々変形が可能である。
【産業上の利用可能性】
【００５６】
本発明は、例えば受付カウンタ、待合室、会議室、学校等に配備される椅子に利用することができる。
【符号の説明】
【００５７】
１…座
２…背凭れ
２１…背支桿
２２…背凭れフレーム
２３…上フレーム部
２３１…中間部
２３２…左側端部、右側端部
２４…下フレーム部
２４１…中間部
２４２…左側端部、右側端部
２５…左側フレーム部
２６…右側フレーム部
３…脚構造体
３１…後脚
３２…前脚
３３…連結部
Ｗ…第一の方向に沿った幅寸法
Ｔ…第二の方向に沿った厚み寸法
【図１】
0005928009.tif 000002
【図２】
0005928009.tif 000003
【図３】
0005928009.tif 000004
【図４】
0005928009.tif 000005
【図５】
0005928009.tif 000006
【図６】
0005928009.tif 000007
【図７】
0005928009.tif 000008
【図８】
0005928009.tif 000009
【図９】
0005928009.tif 000010
【図１０】
0005928009.tif 000011
【図１１】
0005928009.tif 000012
【図１２】
0005928009.tif 000013
【図１３】
0005928009.tif 000014
【図１４】
0005928009.tif 000015
【図１５】
0005928009.tif 000016
【図１６】
0005928009.tif 000017
【図１７】
0005928009.tif 000018
【図１８】
0005928009.tif 000019
【図１９】
0005928009.tif 000020
【図２０】
0005928009.tif 000021
【図２１】
0005928009.tif 000022
【図２２】
0005928009.tif 000023
【図２３】
0005928009.tif 000024
【図２４】
0005928009.tif 000025